(57)【要約】      （修正有）【課題】薄地のプラスチックシートを用いて容易に組み立てられ、かつ十分な強度を持つ動物型眼鏡ホルダー付きペンスタンドを提供する。【解決手段】薄地のプラスチックシートをトムソン型を使用して打ち抜き加工し、複数箇所の対になる差し込みと切り込みを作製し、接着道具なしで動物型眼鏡ホルダー付きペンスタンドを組み立てる。打ち抜き加工する部品には、ペンスタンド内部を仕切るためのパーティションＰ、両耳を頭頂部に備えた哺乳動物の頭部を模した正面Ｆ、及び眼鏡のブリッジを係止する部品Ｂが含まれる。また、ペンスタンドを自立支持する脚部を備える。【選択図】図３
0003214648.tif 000002
【実用新案登録請求の範囲】
【請求項１】
薄地のＡ４サイズのプラスチックシートであり、トムソン型を使用して打ち抜きかれ数か所がシートに固定された状態で複数の部品が配置され、それらの部品には差し込み部と、この差し込み部に組み合わせる切込み部を備えることで、部品をシートから外して組み合わせる時にハサミやカッターなどの切断道具や、糊やテープ等の接着道具を用いること無く簡単に物品を組み立て完成できる事を特徴とする動物型眼鏡ホルダー付きペンスタンド。
【請求項２】
請求項１に記載の動物型眼鏡ホルダー付きペンスタンドはトムソン型を使用して打ち抜かれ数か所がシートに固定されている複数の部品中に、ペンスタンド内部を仕切るための差し込み部を持ったパーティションを備え、その差し込み部を切込み部に差し込み組み合わせた時に、文房具の分別収納を可能にすることを特徴とする動物型眼鏡ホルダー付きペンスタンド。
【請求項３】
請求項１に記載の動物型眼鏡ホルダー付きペンスタンドはトムソン型を使用して打ち抜かれ数か所がシートに固定されている複数物品中の一つが両耳を頭頂部に備えた一般的な哺乳類の頭部の正面形状を模していることを特徴とする動物型眼鏡ホルダー付きペンスタンド。
【請求項４】
請求項１に記載の動物型眼鏡ホルダー付きペンスタンドはトムソン型を使用して打ち抜かれた複数物品中に、眼鏡を固定することができるスリット部とシートから切り離し組み立てることで眼鏡のブリッジを係止する部品を備えることで、眼鏡を固定できることを特徴とする動物型眼鏡ホルダー付きペンスタンド。
【請求項５】
請求項１に記載の動物型眼鏡ホルダー付きペンスタンドはトムソン型を使用して打ち抜かれた複数物品中に、当該物品を自立支持する脚部の構造が一般的な哺乳類の足を模した形で配置されていることを特徴とする動物型眼鏡ホルダー付きペンスタンド。
【考案の詳細な説明】
【考案の詳細な説明】
【技術分野】
【０００１】  本考案は主として、フイルムシート材料に対して施された多目的に使用できる利便性の高いノベルティー商品に関するものである。
【背景技術】
【０００２】  従来の紙やプラスチックシートで作製していた組立式ペンスタンドは、組み立てるときに固定用の糊やテープ、シートからパーツを分離する為のはさみやカッター等の道具が必要だった。また形状も単純で質素なものが多かった。
【考案が解決しようとする課題】
【０００３】  Ａ４サイズのプラスチックシートに物品を構成することで強度が大きく、収納の利便性が高くなり、組み立てる前はシート状なのでカートン単位の輸送コストを抑えることができる。更に、オフセット印刷やインクジェットプリンターを用いて動物キャラクターや動物を模した図案を印刷することでノベルティーグッズとしての価値を高めることができる。
【課題を解決するための手段】
【０００４】  トムソンで打ち抜いた各部分の接合部分の構造を組み立てやすく、かつ外れにくくするために、フック部に切り込みを入れる、かつフィルムシートの柔軟な収縮性を利用し、接合部を噛み合わせる事で強固な構造を作り出す事ができる。
また、組み立てた時に本物品を自立支持する脚部は、哺乳動物の脚部を模した形であり、当該部分に哺乳動物の脚部の図案を施すことで本物品を哺乳動物に見立てたペンスタンドとして使用することができる。
【考案を実施するための形態】
【０００５】  図１は本考案の動物型眼鏡ホルダー付きペンスタンド（１）の平面図である。動物型眼鏡ホルダー付きペンスタンド（１）は薄手のフィルムシートで構成され、その同一平面上には複数の物品が配置されている。
組立式乗り物型ペンスタンド（１）には、フック構造を持った差し込み（ｔ１）（ｔ２）（ｔ３）（ｔ４）（ｔ５）（ｔ６）（ｔ７）（ｔ８）（ｔ９）（ｔ１０）（ｔ１１）と、これと対になる切込み（ｓ１）（ｓ２）（ｓ３）（ｓ４）（ｓ５）（ｓ６）（ｓ７）（ｓ８）（ｓ９）（ｓ１０）（ｓ１１）をもった複数の物品、また汎用的な眼鏡を固定するためのスリット部（Ｈ１）（Ｈ２）、動物の脚部の形状を模した脚部（ｆ１）（ｆ２）（ｆ３）（ｆ４）を備えたペンスタンド部、汎用的な眼鏡のブリッジ部を係止するための突起（Ｂ）やペンスタンド部を仕切るためのパーティション（Ｐ）、および両耳を頭頂部に備えた哺乳動物の頭部を模した物品（Ｆ）が大部分をトムソンで打ち抜かれ部分的にシートに固定された状態で配置されている。
【０００６】  図２は本考案の動物型眼鏡ホルダー付きペンスタンド（１）における斜視図である。トムソン型で折筋加工、打ち抜き加工されたペンスタンド部を組み立て、ペンスタンド部に対になるように設けられた複数の切込み（ｓ１）（ｓ２）（ｓ８）（ｓ９）（ｓ１０）（ｓ１１）に差し込み（ｔ１）（ｔ２）（ｔ８）（ｔ９）（ｔ１０）（ｔ１１）をそれぞれ組み合わせる事で糊やテープ等の接着道具がなくても箱型形状である本物品の強度を保つ事ができる。そして、文房具などの物品の分別収納を可能にするためのパーティション（Ｐ）は差し込み（ｔ５）（ｔ６）（ｔ７）が切込み（ｓ５）（ｓ６）（ｓ７）と組み合わされることで固定され、動物型眼鏡ホルダー付きペンスタンド（１）の内部は２つのスペースに仕切られる。また、このときフィルムシートから切り離された眼鏡のブリッジ部を係止するための突起（Ｂ）は差し込み（ｔ３）（ｔ４）によって両耳を頭頂部に備えた哺乳動物の頭部を模した物品（Ｆ）に施された切込み（ｓ３）（ｓ４）に固定された状態である。
【０００７】  図３は本考案の動物型眼鏡ホルダー付きペンスタンド（１）のスリット部（Ｈ１）（Ｈ２）を用いて汎用的な眼鏡（Ｇ）を、ならびに文房具などの物品の分別収納を可能にするためのパーティション（Ｐ）を利用して文房具（Ｓ）を固定した場合の斜視図である。この時汎用的な眼鏡（Ｇ）は本考案の動物型眼鏡ホルダー付きペンスタンド（１）のスリット部（Ｈ１）（Ｈ２）に折りたたんだ状態で眼鏡のツルが係止され、ブリッジ部を係止するための突起（Ｂ）により安定して固定された状態である。さらにペンスタンド部は動物の脚部の形状を模した脚部（ｆ１）（ｆ２）（ｆ３）（ｆ４）によって自立、維持され眼鏡ならびに文房具の脱落を予防するものである。
【図面の簡単な説明】
【０００８】
【図１】本考案の動物型眼鏡ホルダー付きペンスタンドの平面図
【図２】図１を組み立てた場合の斜視図
【図３】図２の動物型眼鏡ホルダー付きペンスタンドに眼鏡を係止させた場合の斜視図
【０００９】１    動物型眼鏡ホルダー付きペンスタンド
ｔ１  差し込み１
ｔ２  差し込み２
ｔ３  差し込み３
ｔ４  差し込み４
ｔ５  差し込み５
ｔ６  差し込み６
ｔ７  差し込み７
ｔ８  差し込み８
ｔ９  差し込み９
ｔ１０  差し込み１０
ｔ１１  差し込み１１
ｓ１  切り込み１
ｓ２  切り込み２
ｓ３  切り込み３
ｓ４  切り込み４
ｓ５  切り込み５
ｓ６  切り込み６
ｓ７  切り込み７
ｓ８  切り込み８
ｓ９  切り込み９
ｓ１０  切り込み１０
ｓ１１  切り込み１１
Ｂ    眼鏡係止部
Ｆ    頭部
Ｇ    眼鏡
Ｐ    パーティション
Ｓ    文房具
Ｈ１    スリット部１
Ｈ２    スリット部２
ｆ１    脚部１
ｆ２    脚部２
ｆ３    脚部３
ｆ４    脚部４
【図１】
0003214648.tif 000003
【図２】
0003214648.tif 000004
【図３】
0003214648.tif 000005